(57)【要約】【課題】送信装置と受信装置が非同期のクロックを用いた音声データの通信において、音声データの内容等に応じて受信装置側で好ましい受信処理を行うことができるようにする。【解決手段】受信装置では、受信した伝送信号について送信側の第１のクロックと非同期でかつ同一周波数の第２のクロックで音声データの復調を行って出力する非同期モード処理と、受信した伝送信号から得られる音声データについてリサンプリングを行い第２のクロックでサンプリングされた音声データを出力するリサンプリングモード処理とを、選択的に実行する。このモード選択は送信装置からの指示情報に基づいたり、受信した音声データの種別に応じたものとしたり、ＡＧＣ処理に連動するものとする。【選択図】図７
2012182697.tif 000002
【特許請求の範囲】
【請求項１】
送信装置からの第１のクロックでサンプリングされた音声データについての伝送信号を受信する受信部と、
上記受信部で受信した伝送信号について上記第１のクロックと非同期でかつ同一周波数の第２のクロックで音声データの復調を行って出力する非同期モード処理と、上記受信部で受信した伝送信号から得られる音声データについてリサンプリングを行い上記第２のクロックでサンプリングされた音声データを出力するリサンプリングモード処理とを、選択的に実行する受信データ処理部と、
上記受信データ処理部において上記非同期モード処理と上記リサンプリングモード処理のいずれかを実行させるように制御する制御部と、
を備えた受信装置。
【請求項２】
上記制御部は、上記送信装置からの指示情報の受信に応じて、上記受信データ処理部に上記非同期モード処理と上記リサンプリングモード処理のいずれかを実行させるように制御する請求項１に記載の受信装置。
【請求項３】
上記制御部は、上記受信部で受信した伝送信号から得られる音声データの種別を判定し、判定結果に応じて、上記受信データ処理部に上記非同期モード処理と上記リサンプリングモード処理のいずれかを実行させるように制御する請求項１に記載の受信装置。
【請求項４】
上記制御部は、音声データの種別が単一周波数データであると判定したときは、上記受信データ処理部に上記リサンプリングモード処理を実行させ、通常音声データであると判定したときは、上記受信データ処理部に上記非同期モード処理を実行させるように制御する請求項３に記載の受信装置。
【請求項５】
上記制御部は、音声データの種別が通常音声データであると判定したときは、上記受信データ処理部に上記リサンプリングモード処理を実行させ、周波数特性測定用音声データであると判定したときは、上記受信データ処理部に上記非同期モード処理を実行させるように制御する請求項３に記載の受信装置。
【請求項６】
上記制御部は、上記伝送信号から得られる音声データについてのＡＧＣ処理をオンとするときは、上記受信データ処理部に上記リサンプリングモード処理を実行させ、上記ＡＧＣ処理をオフとするときは、上記受信データ処理部に上記非同期モード処理を実行させるように制御する請求項１に記載の受信装置。
【請求項７】
第１のクロックとして、受信装置側の第２のクロックと非同期でかつ同一周波数のクロックでサンプリングされた音声データについて変調処理を行い伝送信号を生成するとともに、上記受信装置側への指示情報として、上記第２のクロックで音声データの復調を行って出力する非同期モード処理と、受信した伝送信号から得られる音声データについてリサンプリングを行い上記第２のクロックでサンプリングされた音声データを出力するリサンプリングモード処理との切換指示となる指示情報を伝送信号に含ませる送信データ処理部と、
上記送信データ処理部で得られた伝送信号を受信装置に対して送信する送信部と、
を備えた送信装置。
【請求項８】
上記伝送信号として送信する音声データの種別を判定する判定部を備え、
上記送信データ処理部は、判定結果に応じて、上記伝送信号内に、上記非同期モード処理と上記リサンプリングモード処理のいずれかを指示する指示情報を含ませる請求項７に記載の送信装置。
【請求項９】
上記判定部が音声データの種別を単一周波数データと判定したときは、上記送信データ処理部は、上記リサンプリングモード処理を指示する指示情報を上記伝送信号内に含ませ、上記判定部が音声データの種別を通常音声データと判定したときは、上記送信データ処理部は、上記非同期モード処理を指示する指示情報を上記伝送信号内に含ませる請求項８に記載の送信装置。
【請求項１０】
上記判定部が音声データの種別を通常音声データと判定したときは、上記送信データ処理部は、上記リサンプリングモード処理を指示する指示情報を上記伝送信号内に含ませ、上記判定部が音声データの種別を周波数特性測定用音声データと判定したときは、上記送信データ処理部は、上記非同期モード処理を指示する指示情報を上記伝送信号内に含ませる請求項８に記載の送信装置。
【請求項１１】
上記送信データ処理部は、上記切換指示となる指示情報として、上記受信装置側でのＡＧＣ処理のオン／オフを指示する指示情報を伝送信号に含ませる請求項７に記載の送信装置。
【請求項１２】
送信装置からの第１のクロックでサンプリングされた音声データについての伝送信号を、上記第１のクロックと非同期でかつ同一周波数の第２のクロックを用いて受信する受信装置の受信方法として、
受信した伝送信号について上記第２のクロックで音声データの復調を行って出力する非同期モード処理と、受信した伝送信号から得られる音声データについてリサンプリングを行い上記第２のクロックでサンプリングされた音声データを出力するリサンプリングモード処理とを、選択的に実行する受信方法。
【請求項１３】
第１のクロックとして、受信装置側の第２のクロックと非同期でかつ同一周波数のクロックでサンプリングされた音声データを上記受信装置に送信する送信装置の送信方法として、
上記第１のクロックでサンプリングされた音声データについて変調処理を行い伝送信号を生成するとともに、上記受信装置側への指示情報として、上記第２のクロックで音声データの復調を行って出力する非同期モード処理と、受信した伝送信号から得られる音声データについてリサンプリングを行い上記第２のクロックでサンプリングされた音声データを出力するリサンプリングモード処理との切換指示となる指示情報を伝送信号に含ませた伝送信号を生成し、伝送信号を受信装置に対して送信する送信方法。
【請求項１４】
送信装置と受信装置を有する通信システムとして、
上記送信装置は、
第１のクロックとして、上記受信装置側の第２のクロックと非同期でかつ同一周波数のクロックでサンプリングされた音声データについて変調処理を行い伝送信号を生成するとともに、上記受信装置側への指示情報として、上記第２のクロックで音声データの復調を行って出力する非同期モード処理と、受信した伝送信号から得られる音声データについてリサンプリングを行い上記第２のクロックでサンプリングされた音声データを出力するリサンプリングモード処理との切換指示となる指示情報を伝送信号に含ませる送信データ処理部と、
上記送信データ処理部で得られた伝送信号を受信装置に対して送信する送信部と、
を備え、
上記受信装置は、
上記送信装置からの第１のクロックでサンプリングされた音声データについての伝送信号を受信する受信部と、
上記受信部で受信した伝送信号について上記第２のクロックで音声データの復調を行って出力する非同期モード処理と、上記受信部で受信した伝送信号から得られる音声データについてリサンプリングを行い上記第２のクロックでサンプリングされた音声データを出力するリサンプリングモード処理とを、選択的に実行する受信データ処理部と、
上記受信部で受信した伝送信号に含まれる上記指示情報に応じて、上記受信データ処理部において上記非同期モード処理と上記リサンプリングモード処理のいずれかを実行させるように制御する制御部と、
を備えている通信システム。
【発明の詳細な説明】
【技術分野】
【０００１】
本開示は、受信装置、送信装置、受信方法、送信方法、通信システムに関し、特に受信装置と送信装置で非同期のクロックを用いる場合の技術に関する。
【先行技術文献】
【特許文献】
【０００２】
【特許文献１】特開２０１０−２８８０８７号公報
【背景技術】
【０００３】
音声再生の分野においては、従来のＣＤ（Compact Disc）のような２チャンネル（ステレオ）から、ＤＶＤ（Digital Versatile Disc），ＢＤ（Blu-ray Disc（登録商標））に見られる５．１チャンネル，７．１チャンネルのようなマルチチャンネル化が進んでいる。
それに伴い、再生システムにおけるスピーカの設置本数や、ＡＶアンプなどによる音場設定、再生ストリーム自体のチャンネル数などに応じて、さまざまなチャンネル数での音声再生が行われている。
【０００４】
また、機器間の配線の煩わしさから、音声データの送受信の無線化も進んでいる。例えば、ホームシアターシステムにおいては、音声データを送信する送信装置と音声データを受信するスピーカなどの受信装置とをワイヤレスで接続することにより、スピーカなどのレイアウトの自由度を高めようとする試みがなされている。
【０００５】
このように音声データを複数の装置間で伝送して処理する場合、受信側で音声データの処理に用いるクロックを送信側のサンプリング周波数に合わせるための手法として、主に同期モード又は非同期モードのいずれかの手法が用いられる。
このうち、同期モードとは、送信装置が音声データにサンプリング周波数に対応するクロック成分を含めて送信し、受信装置は受信したそのクロック成分に従って音声データを処理するという手法である。
また、非同期モードとは、送信装置から伝送されるクロック成分を使用することなく、送信装置におけるサンプリング周波数と同等の周波数を有するクロックを受信装置において生成して音声データを処理する手法である。
【発明の概要】
【発明が解決しようとする課題】
【０００６】
しかしながら、同期モードにおいては、受信信号からクロック成分を抽出するＰＬＬ回路（Phase Locked Loop：位相同期回路）の性能や受信信号に含まれるノイズの影響により、受信側のクロックが不安定となり、再生される音声の品質が低下する場合がある。
また、非同期モードにおいては、送信側のクロックと受信側のクロックにずれ（偏差）が生じることにより、非同期雑音が生じる場合がある。
【０００７】
そこで上記特許文献１では、送信側と受信側で非同期のクロックを使用する場合に、受信側で受信した音声データをオーバーサンプリングし、受信側のクロックでリサンプリングする手法が提案されている。
【０００８】
但し、このようにリサンプリングを行う場合、受信装置側のＳＲＣ（Sampling Rate Convertor）の特性によっては音質（周波数特性）の変化がみられるという問題が残されており、常に最適な音声再生ができるとは限らない。
【０００９】
そこで本開示では、音声データを複数の装置間で非同期で伝送する際に、受信側でのユーザの使用状況に鑑みて適切な音声出力ができるようにすることを目的とする。
【課題を解決するための手段】
【００１０】
本開示の受信装置は、送信装置からの第１のクロックでサンプリングされた音声データについての伝送信号を受信する受信部と、上記受信部で受信した伝送信号について上記第１のクロックと非同期でかつ同一周波数の第２のクロックで音声データの復調を行って出力する非同期モード処理と、上記受信部で受信した伝送信号から得られる音声データについてリサンプリングを行い上記第２のクロックでサンプリングされた音声データを出力するリサンプリングモード処理とを、選択的に実行する受信データ処理部と、上記受信データ処理部において上記非同期モード処理と上記リサンプリングモード処理のいずれかを実行させるように制御する制御部とを備える。
この場合、例えば上記制御部による上記受信データ処理部への上記非同期モード処理と上記リサンプリングモード処理の切換制御は、送信装置からの指示情報に基づいたり、受信した音声データの種別を判定に基づいたり、受信した音声データに対するＡＧＣ処理に連動させるなどの手法を採る。
【００１１】
本開示の送信装置は、第１のクロックとして、受信装置側の第２のクロックと非同期でかつ同一周波数のクロックでサンプリングされた音声データについて変調処理を行い伝送信号を生成するとともに、上記受信装置側への指示情報として、上記第２のクロックで音声データの復調を行って出力する非同期モード処理と、受信した伝送信号から得られる音声データについてリサンプリングを行い上記第２のクロックでサンプリングされた音声データを出力するリサンプリングモード処理との切換指示となる指示情報を伝送信号に含ませる送信データ処理部と、上記送信データ処理部で得られた伝送信号を受信装置に対して送信する送信部とを備える。
この場合送信装置は、例えば送信する音声データの種別を判定し、判定結果に応じて、上記伝送信号内に、上記非同期モード処理と上記リサンプリングモード処理のいずれかを指示する指示情報を含ませる。又は切換指示となる指示情報として、上記受信装置側でのＡＧＣ処理のオン／オフを指示する指示情報を伝送信号に含ませる。
【００１２】
本開示の受信方法は、送信装置からの第１のクロックでサンプリングされた音声データについての伝送信号を、上記第１のクロックと非同期でかつ同一周波数の第２のクロックを用いて受信する受信装置の受信方法として、受信した伝送信号について上記第２のクロックで音声データの復調を行って出力する非同期モード処理と、受信した伝送信号から得られる音声データについてリサンプリングを行い上記第２のクロックでサンプリングされた音声データを出力するリサンプリングモード処理とを、選択的に実行する。
本開示の送信方法は、第１のクロックとして、受信装置側の第２のクロックと非同期でかつ同一周波数のクロックでサンプリングされた音声データを上記受信装置に送信する送信装置の送信方法として、上記第１のクロックでサンプリングされた音声データについて変調処理を行い伝送信号を生成するとともに、上記受信装置側への指示情報として、上記第２のクロックで音声データの復調を行って出力する非同期モード処理と、受信した伝送信号から得られる音声データについてリサンプリングを行い上記第２のクロックでサンプリングされた音声データを出力するリサンプリングモード処理との切換指示となる指示情報を伝送信号に含ませた伝送信号を生成し、伝送信号を受信装置に対して送信する。
【００１３】
以上のような本開示では、受信装置側で、受信した音声データに関する処理として非同期モード処理と、ＳＲＣ（サンプリングレートコンバータ）を用いたリサンプリングモード処理とを選択的に実行できるようにする。そしてその切換は送信装置からの指示、或いは受信装置内での音声データの種別判定、或いはＡＧＣ処理との連動等で行う。
このようにすることで、状況に応じて音声データに対して適切な受信処理を実行させることが可能となる。
【発明の効果】
【００１４】
本開示の技術により、受信装置側の受信音声データに関する処理を適宜非同期モード処理とリサンプリングモード処理とで切り換えることで、状況に応じた適切な受信処理が実行できるようになる。例えば非同期ノイズが顕著となる状況ではリサンプリングモード処理とし、音質変化が好ましくない状況では非同期モード処理とするなどとして、適切な受信処理が実行できる。
【図面の簡単な説明】
【００１５】
【図１】実施の形態の通信システムの説明図である。
【図２】非同期通信の説明図である。
【図３】非同期の機器間でＰＬＬ同期を採る場合及びリサンプリングを行う場合の説明図である。
【図４】実施の形態の送信装置のブロック図である。
【図５】実施の形態の送信装置の外部機器通信部のブロック図である。
【図６】実施の形態の受信装置のブロック図である。
【図７】実施の形態の受信装置の外部機器通信部のブロック図である。
【図８】実施の形態のモード切換制御例Ｉのフローチャートである。
【図９】実施の形態のモード切換制御例IIのフローチャートである。
【図１０】実施の形態のモード切換制御例IIIのフローチャートである。
【図１１】実施の形態のモード切換制御例IVのフローチャートである。
【発明を実施するための形態】
【００１６】
以下、本開示の実施の形態を次の順序で説明する。
＜１．実施の形態の通信システム＞
＜２．関連技術の説明＞
＜３．実施の形態の送信装置＞
＜４．実施の形態の受信装置＞
＜５．モード切換制御例Ｉ＞
＜６．モード切換制御例II＞
＜７．モード切換制御例III＞
＜８．モード切換制御例IV＞
【００１７】
＜１．実施の形態の通信システム＞
実施の形態の通信システムの構成例を図１に示す。実施の形態の通信システムは、少なくとも１つの送信装置と、少なくとも１つの受信装置を有する。
この図１では送信装置１（親機）と、複数の受信装置２（２ａ〜２ｄ：子機）を有する例を挙げている。
例えば送信装置１は、音楽等の音声データをＣＤ、ＤＶＤ、ＢＤなどの記録媒体から読み出し、又は他の通信装置から受信した後、当該音声データを所定の通信方式に従って送信する装置である。
送信装置１としては、具体的にはディスクプレーヤ機器、各種音楽プレーヤ、ゲーム機器、ＰＣ（Personal Computer）、電話端末、テレビジョン受像器、チューナ機器など、音声データをデジタルデータとして扱う各種の装置が想定される。或いは送信装置１は、これらの機器に接続される送信ユニットとしての形態も想定される。
また、送信装置１と受信装置２（２ａ〜２ｄ）との間の接続方式は、有線接続であっても無線接続であってもよい。
【００１８】
受信装置２は、送信装置１から送信されてくる音声データを受信する機器である。図１では、サラウンドリアアンプ２ａ、サラウンドリアバックアンプ２ｂ、サブウーファーアンプ２ｃ、他の部屋（セカンドルーム）のオーディオ機器２ｄを例示している。
サラウンドリアアンプ２ａは、送信装置１から送信されてくる音声データを受信し、増幅して、サラウンドリアスピーカ３ａ，３ｂから音声として出力させる。
サラウンドリアバックアンプ２ｂは、送信装置１から送信されてくる音声データを受信し、増幅して、サラウンドリアバックスピーカ３ｃ，３ｄから音声として出力させる。
サブウーファーアンプ２ｃは、送信装置１から送信されてくる音声データを受信し、増幅して、内蔵するサブウーファースピーカから音声として出力させる。
オーディオ機器２ｄは、送信装置１から送信されてくる音声データを受信し、増幅して、接続されたスピーカから音声として出力させる。
これらの例のように、受信装置２としては、送信されてくる音声データを受信処理する機器であり、上記のようにアンプ機器、スピーカ内蔵アンプ機器、オーディオプレーヤ機器や、さらにヘッドホン（イヤホン）機器、レコーダ機器、ＰＣ、モニタ機器、電話端末など、多様な機器が想定される。
本明細書では、これら送信装置１から音声データを受信する機器を受信装置２と総称する。
【００１９】
ここで、送信装置１から受信装置２へ送信される音声データは、送信装置１側で所定の周波数のクロックに従ってサンプリングされたデータである。
例えば一例として、送信装置１は４８ＫＨｚでサンプリングした音声データを送信する。
一方、受信装置２でも、同じく４８ＫＨｚのクロックで受信した音声データを処理する。但し、本例では送信装置１と受信装置２は非同期である。つまり同一周波数のクロックを用いているが、それらは同期していない。そのため、このような音声データの送受信を行うシステムにおいては、送信装置１と受信装置２との間でのクロックずれに対して、どのように音声データを処理するかが問題となる。
なお、上記のように送信装置１と受信装置２で用いるクロックの周波数を４８ＫＨｚとするのは一例である。例えば４４．１ＫＨｚ、３２ｋＨｚなどであってもよい。
【００２０】
＜２．関連技術の説明＞
ここで、非同期の送信装置と受信装置との間で考えられる通信処理方式の例を説明しておく。
図２（ａ）は非同期の送信装置１００と受信装置２００が、非同期で送受信データ処理を行う場合のモデルを模式的に示している。
【００２１】
図２（ａ）に示した送信装置１００では、クロック発生部１０２で例えば４８ＫＨｚのクロックＣＬＫ１を生成する。そしてＡ／Ｄ変換器１０３で、音声信号ＡＳをクロックＣＬＫ１でサンプリングする。このＡ／Ｄ変換器１０３からの音声データを送信系１０１で送信する。
一方、受信装置２００でも、クロック発生部２０２で４８ＫＨｚのクロックＣＬＫ２を生成する。但し、送信装置１００とのクロックＣＬＫ１とは非同期である。そして受信系２０１では受信した信号からクロックＣＬＫ２を用いて音声データを復調し、さらにＤ／Ａ変換器２０３でクロックＣＬＫ２を用いてデジタル−アナログ変換処理を行ってアナログ音声信号を出力する。この音声信号はスピーカ２１０から音声として出力される。
【００２２】
このような非同期処理のモデルにおいて、受信側の処理に使用されるクロックＣＬＫ２は、クロック発生部２０２において、例えば誤差が比較的小さいと言われる水晶発振器を用いて生成される。しかし、その場合にも、受信側のクロックＣＬＫ２の周波数と送信側のサンプリング周波数（クロックＣＬＫ１）との間には、例えば発振器の個体差などに応じたある程度のずれ、即ち偏差が存在し得る。こうした非同期モードにおける送信側と受信側との間のクロックの偏差は、最終的に再生される音声における非同期雑音としてユーザに感知され得る。
図２（ｂ）は、このようなクロックの微小なズレにより数秒（例えば５．５秒）に１回程度で発生する非同期ノイズを示している。
このような非同期ノイズは、ユーザにとっては、音楽等の再生時には殆ど聴感上感知できないが、例えばＳＩＮ波の音声データにより単一音を出力するような場合は、比較的目立つノイズとなる。
但し、このような非同期処理の場合、音質（周波数特性）の変化は殆ど無く、送信された音声信号の忠実な再生という点では適している。
【００２３】
次に図３（ａ）にＰＬＬ同期処理を行うモデルを示す。
送信装置１００側は図２（ａ）と同様であり、例えば４８ＫＨｚのクロックＣＬＫ１でサンプリングした音声データを送信する。
受信装置２００では、受信系２０１で受信した無線信号を増幅し、ベースバンド信号に変換する。ＰＬＬ回路２０４は、ベースバンド信号に含まれるクロック成分を抽出してクロックＣＬＫ２ａを生成し、生成したクロックＣＬＫ２ａを受信系２０１及びＤ／Ａ変換器２０３に供給する。
受信系２０１では、クロックＣＬＫ２ａに従ってベースバンド信号を復調及び伸張し、音声データを出力する。そして、Ｄ／Ａ変換器２０３でクロックＣＬＫ２ａに従って音声データをデジタル信号からアナログ信号に変換し、スピーカ２１０へ出力する。
このような受信側の処理に使用されるクロックＣＬＫ２ａは、送信側でサンプリングされた音声データに含まれるクロック成分に応じてＰＬＬ回路２０４において生成される。よって、クロックＣＬＫ２ａは、ＰＬＬ回路２０４の性能及び受信信号に含まれるノイズの影響等に依存して不安定となる場合がある。そのため、同期モードにより処理された後に再生される音声において、ジッタなどの品質の低下が感知される場合がある。
また、Ｄ／Ａ変換器２０３でのクロックが受信データに同期して揺らぐことからも、音質的に不利になるという問題点がある。
【００２４】
次に図３（ｂ）にリサンプリング処理を行うモデルを示す。
送信装置１００側は図２（ａ）と同様であり、例えば４８ＫＨｚのクロックＣＬＫ１でサンプリングした音声データを送信する。
受信装置２００では、受信系２０１が受信した無線信号を増幅し、音声データを復調する。復調された音声データはＳＲＣ（サンプリングレートコンバータ）２０５でリサンプリングされる。即ち例えば４８ＫＨｚより十分高い周波数（（４８×ｎ）ＫＨｚ）でオーバーサンプリングを行い、そのオーバーサンプリングデータを、今度はクロック発生部２０２で発生された４８ＫＨｚのクロックＣＬＫ２でサンプリングする。
このようにＳＲＣ２０５でリサンプリングされた音声データは、クロックＣＬＫ２に従いＤ／Ａ変換器２０３でアナログ音声信号に変換され、スピーカ２１０から出力される。
この手法の場合、図２（ｂ）に示したような非同期ノイズを解決するのに有効である。しかし音声データをリサンプリングするために、実装されているＳＲＣの特性によっては音質（周波数特性）の変化がみられるという点が指摘される。
【００２５】
以上のように、非同期の送信装置１００と受信装置２００の間の処理モデルを例示したが、これらのように、それぞれ長短がある。
以下に詳しく述べる本実施の形態の受信装置２では、非同期処理とＳＲＣによるリサンプリングを行う処理を選択的に実行することで、状況に応じた好適な受信処理を実現するものである。
【００２６】
＜３．実施の形態の送信装置＞
例えば図１に示したような通信システムを構築できる実施の形態の送信装置１の構成例を図４に示す。
【００２７】
送信装置１は、ＣＰＵ（Central Processing Unit）１１と、ＲＯＭ（Read Only Memory）１２と、ＲＡＭ（Random Access Memory）１３と、ＥＥＰＲＯＭ（Electronically Erasable and Programmable Read Only Memory）１４とを備える。また送信装置１は、入力インターフェース（Ｉ／Ｆ）１５と、表示インターフェース（Ｉ／Ｆ）１６と、外部機器通信部２０とを更に備える。
また、外部機器通信部２０には、ＤＳＰ（Digital Signal Processor）２１が接続される。
【００２８】
ＣＰＵ１１は、演算処理装置および制御装置として機能し、ＲＯＭ１２、ＲＡＭ１３、ＥＥＰＲＯＭ１４等に記録された各種プログラムに従って、送信装置１内の動作全般またはその一部を制御する。
ＲＯＭ１２およびＥＥＰＲＯＭ１４は、ＣＰＵ１１が使用するプログラムや演算パラメータ等を記憶する。
ＲＡＭ１３は、ＣＰＵ１１の実行において使用するプログラムや、その実行において適宜変化するパラメータ等を一次記憶する。
これらはＣＰＵバス等の内部バスにより構成されるホストバスおよびＰＣＩ（Peripheral Component Interconnect/Interface）バスなどの外部バスから構成されるシステムバス１９により、相互に接続されている。
【００２９】
入力インターフェース１５は、キー操作部１７を用いてユーザにより入力された情報に基づいて入力信号を生成し、ＣＰＵ１１に出力する入力制御回路などから構成されているインターフェースである。送信装置１のユーザは、キー操作部１７を操作することにより、送信装置１に対して各種のデータを入力したり処理動作を指示したりすることができる。
【００３０】
キー操作部１７は、送信装置１に対して各種のデータを入力したり処理動作を指示したりする操作部である。キー操作部１７は、例えば、マウス、キーボード、タッチパネル、ボタン、スイッチおよびレバーなどユーザが操作する操作手段である。また、キー操作部１７は、例えば、赤外線やその他の電波を利用したリモートコントロール手段（いわゆる、リモコン）であってもよいし、コンテンツ送信装置１の操作に対応した携帯電話やＰＤＡ等の外部装置であってもよい。
【００３１】
表示インターフェース１６は、ＣＰＵ１１から出力された表示出力信号を、表示部１８へと伝送するためのインターフェースである。表示部１８は例えば、ＣＲＴディスプレイ装置、液晶ディスプレイ装置、有機ＥＬ（Electroluminescence）ディスプレイ装置、プラズマディスプレイ装置、およびランプなどの表示装置など、各種情報をユーザに対して視覚的に通知することが可能な装置で構成される。
【００３２】
外部機器通信部２０は、例えば受信装置２等の子機と通信するための通信デバイス等で構成された通信インターフェースである。
送信装置１は、この外部機器通信部２０、アンテナ２０ａを介して、受信装置２に対して音声ストリームデータや各種制御データ等を無線送信するとともに、受信装置２と双方向データ通信を行う。
【００３３】
ＤＳＰ２１は、音声データや画像データに対する各種処理に特化したＣＰＵである。このＤＳＰ２１には、送信に用いられる音声データを含むコンテンツが入力されるコンテンツ入力部２２が接続される。
【００３４】
コンテンツ入力部２２は、送信装置１が送信に用いる音声データを含むコンテンツが入力される処理部である。
コンテンツ入力部２２は、例えば、ＣＤ／ＤＶＤ／ＢＤプレーヤ部２４や、外部のプレーヤ機器等のデジタル機器が接続されるデジタル入力部２５や、チューナー２６や、カセットテープやレコード等のアナログ機器が接続されるアナログ入力部２７等から構成される。
また、チューナー２６およびアナログ入力部２７から入力された音声データは、ＡＤ変換部２８によりアナログ信号からデジタル信号へと変換される。
かかるコンテンツ入力部２２より入力されたコンテンツの音声データが、ＤＳＰ２１および外部機器通信部２０を介して受信装置２（子機）へと送信される。
【００３５】
また、本実施形態に係る送信装置１は、上記構成の他に、例えば、ストレージ装置や、ドライブや、コンテンツ出力部等を備えていてもよい。
【００３６】
ストレージ装置は、本実施形態にかかる送信装置１の記憶部の一例として構成されたデータ格納用の装置である。このストレージ装置は、例えば、ＨＤＤ（Hard Disk Drive）等の磁気記憶部デバイス、半導体記憶デバイス、光記憶デバイス、または光磁気記憶デバイス等により構成される。
このストレージ装置は、ＣＰＵ１１が実行するプログラムや各種データ、および外部から取得した音声データなどを格納することが可能である。
【００３７】
ドライブは、記録媒体用リーダライタであり、送信装置１に内蔵、あるいは外付けされる。ドライブは、装着されている磁気ディスク、光ディスク、光磁気ディスク、または半導体メモリ等のリムーバブル記録媒体に記録されている情報を読み出して、ＲＡＭ１３に出力する。また、ドライブは、装着されている磁気ディスク、光ディスク、光磁気ディスク、または半導体メモリ等のリムーバブル記録媒体に記録を書き込むことも可能である。リムーバブル記録媒体は、例えば、ＤＶＤ、ＢＤ等である。また、リムーバブル記録媒体は、コンパクトフラッシュ（登録商標）（CompactFlash：ＣＦ）、メモリースティック、または、ＳＤメモリカード（Secure Digital memory card）等であってもよい。また、リムーバブル記録媒体は、例えば、非接触型ＩＣチップを搭載したＩＣカード（Integrated Circuit card）または電子機器等であってもよい。
【００３８】
コンテンツ出力部は、コンテンツ入力部２２から入力された音声データを含むコンテンツを、送信装置１の外部に出力する処理部である。コンテンツ出力部は、例えば、デジタル信号である音声データをアナログ信号へと変換するＤＡ変換部と、アナログ信号に変換された音声データを増幅する増幅部と、増幅された音声データが出力されるスピーカー等から構成されるようにすればよい。
【００３９】
図５に、外部機器通信部２０における送信系の構成例を示す。
外部機器通信部２０は、送信データ処理部７０と送信部７４を有する。送信データ処理部７０は、送信音声データ生成部７１、クロック生成部７２、変調部７３を、ハードウエア構成もしくはソフトウエア機能として備える。
【００４０】
クロック生成部７２は、発振回路を用いて所定のサンプリング周波数を有するクロックＣＬＫ１を生成する。クロックＣＬＫ１の周波数（即ちサンプリング周波数）は、一例として４８ＫＨｚである。もちろん４４．１ＫＨｚ、３２ＫＨｚなど他の周波数とされる例もある。このクロック生成部７２で用いる発振回路は、水晶発振器（ＸＯ：X'tal Oscillator）又は電圧制御水晶発振器（ＶＣＸＯ：Voltage Controlled X'tal Oscillator）などであってよい。なお、クロックＣＬＫ１の周波数が固定値である場合には、発振回路として水晶発振器を用いるのが好適である。
そして、クロック生成部７２は、生成したクロックＣＬＫ１を送信音声データ処理部７１及び変調部７３へ供給する。
【００４１】
送信音声データ生成部７１は、クロック生成部７２から供給されるクロックＣＬＫ１に従ってサンプリングされた音声データとして、受信装置２に伝送する音声データを生成する。なお、ＤＳＰ２１から供給される音声データＤＴが、既にクロックＣＬＫ１でサンプリングされた音声データである場合、送信音声データ生成部７１でさらにサンプリングする必要はない。ＤＳＰ２１から供給される音声データＤＴが、他のサンプリング周波数でサンプリングされた音声データの場合、送信音声データ生成部７１は、サンプリングレート変換処理を行うことで受信装置２へ送信すべき音声データを生成してもよい。
【００４２】
送信音声データ生成部７１で生成された送信音声データとしての通信パケットデータは変調部７３へ供給される。
変調部７３は、例えば４８ＫＨｚのクロックＣＬＫ１に従い、音声データについて通信フォーマットに応じたエンコード処理を行う。例えばパケットエンコード等を行う。また、このとき変調部７３によりエンコードされたパケットデータには、音声そのもののデータに加えて、当該音声の処理に使用すべき周波数を有するクロック成分が含められる。
そして、変調部７３は、変調した音声データを含む伝送信号（通信フォーマットに応じてエンコードされた信号）を送信部７４へ出力する。
【００４３】
なお、後述するモード切換制御例Ｉ、IIIの場合、送信装置１は受信装置２に対してモード切換のための指示信号を送信する。この場合、モード切換制御例Ｉの場合はＤＳＰ２１が送信する音声データの種別を判定する。変調部７３は、ＤＳＰ２１からの判定信号ＳＳを受け取り、これに応じた指示情報を、通信パケットデータに挿入することとなる。
またモード切換制御例IIIの場合は、この図５では図示していないが、例えばＣＰＵ１１が受信装置２に対してＡＧＣ制御の指示を発生させる。その場合、変調部７３は、ＣＰＵ１１からのＡＧＣ指示を受け取り、これに応じた指示情報を、通信パケットデータに挿入する。
【００４４】
送信部７４は、ＲＦ（Radio  Frequency）回路を用いて、変調部７３から入力されるエンコードデータを周波数変換及び増幅し、アンテナ２０ａを介して無線信号として送信する。ここで送信された音声データは、次に説明する受信装置２により受信される。
【００４５】
以上説明した構成により、送信装置１は、多様な音声データ出力源から音声データを含むコンテンツ取得し、外部機器通信部２０を介して、受信装置２に対して音声データを送信することが可能になる。また、送信装置１は、以上説明した構成により、受信装置２と双方向データ通信を行うことができる。
【００４６】
ここまでは、送信装置１の機能を実現可能なハードウェア構成の一例を示した。上記の各構成要素は、汎用的な部材を用いて構成されていてもよいし、各構成要素の機能に特化したハードウェアにより構成されていてもよい。従って、本実施形態を実施する時々の技術レベルに応じて、適宜、利用するハードウェア構成を変更することが可能である。
また図５の送信データ処理部７０の構成は一例であり、例えば送信音声データ生成部７１や変調部７３の構成は必ずしも異なるブロックとして明確に分離されるものでもなく、またその一部の処理をＤＳＰ２１で行うことなども想定される。即ち音声データの送信処理について、例えばクロックＣＬＫ１でサンプリングされた音声データを受信装置２に対して送信できる構成であればよい。
【００４７】
また、本実施の形態の送信装置１は、親機として子機の受信装置２に対して音声データの送信を行うことのできる機器であればよく、必ずしも上記の図４，図５の構成の全てを備える必要はない。
【００４８】
＜４．実施の形態の受信装置＞
続いて、図６を参照しながら、本実施の形態に係る受信装置２の構成について説明する。
図６に示したように、受信装置２は、ＣＰＵ３１と、ＲＯＭ３２と、ＲＡＭ３３と、ＥＥＰＲＯＭ３４と、入力インターフェース（Ｉ／Ｆ）３５と、表示インターフェース（Ｉ／Ｆ）３６と、外部機器通信部４０と、ＤＳＰ４５を備える。
また、外部機器通信部４０には、受信した音声データを出力する音声データ出力部４１が接続される。
【００４９】
ＣＰＵ３１は、演算処理装置および制御装置として機能し、ＲＯＭ３２、ＲＡＭ３３、ＥＥＰＲＯＭ３４等に記録された各種プログラムに従って、受信装置２内の動作全般またはその一部を制御する。
またＣＰＵ３１は、送信装置１から送信されてきた指示情報に応じた制御処理も行う。
ＲＯＭ３２およびＥＥＰＲＯＭ３４は、ＣＰＵ３１が使用するプログラムや演算パラメータ等を記憶する。
ＲＡＭ３３は、ＣＰＵ３１の実行において使用するプログラムや、その実行において適宜変化するパラメータ等を一次記憶する。
これらはＣＰＵバス等の内部バスにより構成されるホストバスおよびＰＣＩバスなどの外部バスから構成されるシステムバス３９により、相互に接続されている。
【００５０】
入力インターフェース３５は、キー操作部３７を用いてユーザにより入力された情報に基づいて入力信号を生成し、ＣＰＵ３１に出力する入力制御回路などから構成されているインターフェースである。受信装置２のユーザは、キー操作部３７を操作することにより、受信装置２に対して各種のデータを入力したり処理動作を指示したりすることができる。
【００５１】
キー操作部３７は、受信装置２に対して各種のデータを入力したり処理動作を指示したりする操作部である。
キー操作部３７は、例えば、マウス、キーボード、タッチパネル、ボタン、スイッチおよびレバーなどユーザが操作する操作手段である。また、キー操作部３７は、例えば、赤外線やその他の電波を利用したリモートコントロール手段（いわゆる、リモコン）であってもよいし、受信装置２の操作に対応した携帯電話やＰＤＡ等の外部装置であってもよい。
【００５２】
表示インターフェース３６は、ＣＰＵ３１から出力された出力信号を、表示部３８へと伝送するためのインターフェースである。
表示部３８は、例えば、ＣＲＴディスプレイ装置、液晶ディスプレイ装置、プラズマディスプレイ装置、有機ＥＬディスプレイ装置およびランプなどの表示装置など、各種情報をユーザに対して視覚的に通知することが可能な装置で構成される。
【００５３】
外部機器通信部４０は、例えば、アンテナ４０ａを介して送信装置１等の親機と通信するための通信デバイス等で構成された通信インターフェースである。
受信装置２は、この外部機器通信部４０を介して、送信装置１から音声データや指示情報等を受信するとともに、送信装置１と双方向データ通信を行う。
なお、外部機器通信部４０には、通信機能とともに、受信した音声データのデコード機能やバッファリング機能としての構成も設けられている。もちろんデコード部やバッファリング部が外部機器通信部４０の外部に設けられていても良い。
この外部機器通信部４０では、音声データの受信処理として非同期モード処理と、ＳＲＣを用いたリサンプリングモード処理が選択的に実行される。
【００５４】
音声データ出力部４１は、送信装置１から送信された音声データを出力する処理部である。
音声データ出力部４１は、例えば、ＤＡ変換部４２と、増幅部４３と、スピーカ４４と、から構成される。
【００５５】
ＤＡ変換部４２は、受信した音声データをデジタル信号からアナログ信号へと変換する。アナログ信号に変換された音声データは、増幅部４３により増幅され、スピーカ４４から出力される。
【００５６】
ＤＳＰ４５は、この例では、受信した音声データの種別を判定する処理部として機能する。例えば受信した音声データが単一周波数のＳｉｎ波であるか通常の音楽等の音声データであるかの判定を行う。このようなＤＳＰ４５による処理は、後述するモード切換制御例IIの場合に必要となるものである。
【００５７】
また受信装置２は、送信装置１が備えるＤＳＰやコンテンツ入力部を備えていてもよい。
更に、受信装置２は、上記構成の他に、例えば、ストレージ装置や、ドライブ等を備えていてもよい。
【００５８】
ストレージ装置は、本実施形態にかかる受信装置２の記憶部の一例として構成されたデータ格納用の装置である。このストレージ装置は、例えば、ＨＤＤ等の磁気記憶部デバイス、半導体記憶デバイス、光記憶デバイス、または光磁気記憶デバイス等により構成される。このストレージ装置は、ＣＰＵ３１が実行するプログラムや各種データ、および外部から取得した音声データなどを格納することが可能である。
【００５９】
ドライブは、記録媒体用リーダライタであり、受信装置２に内蔵、あるいは外付けされる。ドライブは、装着されている磁気ディスク、光ディスク、光磁気ディスク、または半導体メモリ等のリムーバブル記録媒体に記録されている情報を読み出して、ＲＡＭ３３に出力する。また、ドライブは、装着されている磁気ディスク、光ディスク、光磁気ディスク、または半導体メモリ等のリムーバブル記録媒体に記録を書き込むことも可能である。リムーバブル記録媒体は、例えば、ＤＶＤ、ＢＤ等である。また、リムーバブル記録媒体は、コンパクトフラッシュ、メモリースティック、または、ＳＤメモリカード等であってもよい。また、リムーバブル記録媒体は、例えば、非接触型ＩＣチップを搭載したＩＣカードまたは電子機器等であってもよい。
【００６０】
図７に外部機器通信部４０における受信系の構成例を示す。
受信装置２の外部機器通信部４０は、受信部５０と受信データ処理部５１が設けられる。そして受信データ処理部５１は、復調部５２、ＡＧＣ（Automatic Gain Control）回路６０、ＳＲＣ５３、ＰＬＬ回路５４、逓倍部５５、クロック生成部５６、スイッチ５７，５８，５９を、ハードウエア構成もしくはソフトウエア機能として備える。
【００６１】
受信部５０は、送信装置１から無線信号として送信された音声データ、即ちクロックＣＬＫ１に従ってサンプリングされた音声データを含む電波信号を、アンテナ４０ａを介して受信する。そして受信部５０は、受信した電波信号をＲＦ回路処理で処理した受信信号を復調部５２に供給する。
【００６２】
ＰＬＬ回路５４は、受信部５０から復調部５２に入力される受信信号に含まれるクロック成分を抽出し、受信信号に同期したクロックＣＬＫｐを生成する。即ち、クロックＣＬＫｐは、送信装置１のクロック生成部７２により生成されたクロックＣＬＫ１と同期したクロックとなる。そしてＰＬＬ回路５４は、生成したクロックＣＬＫｐを、逓倍部５５に供給し、またスイッチ５７を介して復調部５２に供給する。
【００６３】
一方、クロック生成部５６は、発振回路を用いて、送信装置１のクロック生成部７２により生成されるクロックＣＬＫ１と略同等の周波数を有するクロックＣＬＫ２を生成する。例えば、クロックＣＬＫ１の周波数が４８ＫＨｚである場合には、クロック生成部５６もまた４８ＫＨｚの周波数を有するクロックＣＬＫ２を生成する。
このクロック生成部５６で用いる発振回路は、水晶発振器（ＸＯ）又は電圧制御水晶発振器（ＶＣＸＯ）などが好適である。
但し、クロックＣＬＫ２はクロックＣＬＫ１と非同期であり、発振回路の個体差などにより、クロックＣＬＫ１とクロックＣＬＫ２との間には偏差が生じ得る。
そしてクロック生成部５６は、生成したクロックＣＬＫ２をＳＲＣ５３，Ｄ／Ａ変換器４２、及びスイッチ５７を介して復調部５２に供給する。
【００６４】
スイッチ５７は、復調部５２が用いるクロックを選択するスイッチであり、ＤＳＰ４５又はＣＰＵ３１からの制御信号ＣＴによって切り換えられる。
非同期モード処理の場合、スイッチ５７のｔ１端子を介してクロックＣＬＫ２が復調部５２に供給される。
リサンプリングモード処理の場合、スイッチ５７のｔ２端子を介してクロックＣＬＫｐが復調部５２に供給される。
【００６５】
復調部５２は、スイッチ５７で選択されたクロックＣＫＬ２かクロックＣＬＫｐのいずれかに従い、受信部５０から入力される受信信号を復調する。即ちベースバンド復調、２値化、通信フォーカスに応じたパケットデータのデコード等を行い、音声データを復調する。また送信装置１から指示情報が送信されてきた場合は、その指示情報も復調する。
そして復調部５２は、復調されたデジタル信号としての音声データを、ＡＧＣ回路６０に出力する。また指示情報等の通信情報を復調したときは、その指示情報等をＣＰＵ３１に出力する。
【００６６】
ＡＧＣ回路６０は、復調された音声データにつきＡＧＣ処理を行う。ＡＧＣ回路６０におけるＡＧＣ処理はＤＳＰ４５又はＣＰＵ３１からの制御信号ＣＴによってオン／オフされる。
ＡＧＣ回路６０はＡＧＣ処理を施した（もしくはＡＧＣ処理を行わずに）音声データを出力する。
ＡＧＣ回路６０から出力される音声データはスイッチ５８，５９により処理が選択される。
スイッチ５８，５９はＤＳＰ４５又はＣＰＵ３１からの制御信号ＣＴによって切り換えられる。
非同期モード処理の場合、スイッチ５８，５９はｔ１端子が選択され、ＳＲＣ５３の処理は行われない。リサンプリングモード処理の場合、スイッチ５８，５９はｔ２端子が選択され、ＳＲＣ５３の処理が行われる。
なお、このスイッチ５８，５９は物理的なスイッチではなく、受信データ処理部５１内の処理アルゴリズム上の選択処理でもよいことはいうまでもない。
【００６７】
非同期モード処理の場合、ＡＧＣ回路６０から出力される音声データはスイッチ５８、５９を介してＤ／Ａ変換器４２に供給される。そしてその後、図６で説明したように、スピーカ４４から音声として出力されることとなる。
このような非同期モードにおける音声出力では、上述した非同期ノイズが生ずる。しかし音質（周波数特性）の変化は殆ど無く、送信された音声信号の忠実な再生という点では適している。
【００６８】
リサンプリングモード処理の場合、ＡＧＣ回路６０から出力される音声データはスイッチ５８を介してＳＲＣ５３に供給される。
ＳＲＣ５３は、オーバーサンプリング部５３ａと出力部５３ｂを有する。
オーバーサンプリング部５３ａは、クロックＣＬＫｐの周波数よりも高いサンプリング周波数を用いて、復調部５２により復調された音声データをオーバーサンプリングする。より具体的には、例えば、オーバーサンプリング部５３ａは、逓倍部５５を用いてＰＬＬ回路５４から供給されるクロックＣＬＫｐを逓倍することにより、クロックＣＬＫｐの周波数をｎ倍（ｎは１より大きい整数）したサンプリング周波数を有するクロックを得る。そして、オーバーサンプリング部５３ａは、クロックＣＬＫｐの周波数のｎ倍のサンプリング周波数により音声データをオーバーサンプリングする。例えば、クロックＣＬＫｐの周波数（≒クロックＣＬＫ１の周波数）が４８ＫＨｚであった場合には、当該周波数をｎ＝２５６〜１０２４の範囲内で逓倍した１２〜４８ＭＨｚのいずれかの周波数を用いて、音声データをオーバーサンプリングしてもよい。
オーバーサンプリングに使用する周波数が高いほど、最終的に良好な音声が得られる可能性は高まる一方、処理に必要な回路規模は大きくなる。そのため、上記ｎの値は、音声の品質と回路のコストのバランスを考慮して決定されるのが好適である。オーバーサンプリング部５３ａは、このようにオーバーサンプリングした音声データを、例えば出力部５３ｂ内部に設けられるバッファに順次書き込む。
【００６９】
出力部５３ｂは、オーバーサンプリング部５３ａによりオーバーサンプリングされた音声データを、クロック生成部５６から供給されるクロックＣＬＫ２に従って取得し、スイッチ５９を介してＤ／Ａ変換器４２へ出力する。より具体的には、出力部５３ｂは、例えばオーバーサンプリング部５３ａにより書き込まれた音声データを内部のバッファに一時的に保持し、クロックＣＬＫ２に従って各音声データを順次読み出せばよい。
【００７０】
以上により、ＳＲＣ５３では、受信信号に同期したクロックＣＬＫｐで復調した音声データを、同一の４８ＫＨｚではあるが、受信装置２側のローカルなクロックＣＬＫ２に基づく音声データに変換する処理を行うこととなる。
このようにリサンプリングされた音声データは、Ｄ／Ａ変換器４２に供給され、その後、図６で説明したように、スピーカ４４から音声として出力されることとなる。
このリサンプリングモードでの音声出力については、非同期ノイズは解消される。しかしＳＲＣ５３におけるリサンプリングによって音質（周波数特性）の変化が生ずる場合がある。
【００７１】
以上説明した構成により、受信装置２は、外部機器通信部４０を介して、送信装置１から音声ストリームデータを受信し、再生出力することが可能になるとともに、送信装置１と双方向データ通信を行うことができる。
【００７２】
ここでは本実施の形態に係る受信装置２の機能を実現可能なハードウェア構成の一例を示した。上記の各構成要素は、汎用的な部材を用いて構成されていてもよいし、各構成要素の機能に特化したハードウェアにより構成されていてもよい。従って、本実施の形態を実施する時々の技術レベルに応じて、適宜、利用するハードウェア構成を変更することが可能である。
また図７の受信データ処理部５１の構成は一例であり、例えば復調部５２やＳＲＣ５３等の処理を、ＤＳＰ４５で行うことなども想定される。
そして本実施の形態の受信装置２は、あくまでも親機からの音声データを受信した際に非同期モード処理とリサンプリングモード処理が選択的に実行できる構成であればよく、必ずしも図６、図７に示した構成の全てを備える必要はない。
例えば図１のサブウーファーアンプ２ｃの場合、表示部３８、表示インターフェース３６は不要である。またサラウンドリアアンプ２ａ、サラウンドリアバックアンプ２ｂの場合は、別体のスピーカを用いるためスピーカ４４は不要である。
【００７３】
＜５．モード切換制御例Ｉ＞
以上の構成の送信装置１、受信装置２で音声データの通信が行われる際の、受信装置２側での非同期モード処理とリサンプリングモード処理の切換制御例を、以下説明していく。なお、図８〜図１１の各処理例は音声データの通信を開始する際、或いは音声データの通信実行中に、送信装置１、受信装置２で実行されるモード切換制御処理のみを示しており、音声データの通信のシーケンスについては省略している。
【００７４】
まずモード切換制御例Ｉとして、送信装置側１が受信装置２にモード切換を指示する例を説明する。
図８は、送信装置１のＤＳＰ２１の処理と、受信装置２のＣＰＵ３１の処理例を示している。
【００７５】
送信装置１では、ステップＦ１０１としてＤＳＰ２１が送信する音声データの種別を監視している。種別の監視処理は具体的には周波数解析処理（例えばＦＦＴ処理）などが挙げられる。
そして音声データの種別に変化があるか否かを判定する。例えばこれから受信装置２に対して音声データ送信を開始する際には、新たにある種の音声データ送信を行うためステップＦ１０２で変化ありとする。また、音声データ送信中に、非同期モード処理とすべき種別の音声データとリサンプリングモード処理とすべき種別の音声データの切り替わりが生じたときにも、ステップＦ１０２で変化ありとする。
【００７６】
そしてＤＳＰ２１は、ステップＦ１０１，Ｆ１０２で、これから非同期モード処理とすべき種別の音声データを送信すると判定した場合は、ステップＦ１０３からＦ１０４に進み、外部機器通信部２０に非同期モードとすべき種別の音声データであることの判定信号ＳＳを供給する。この場合、図５で説明したように、変調部７３は通信パケットデータに非同期モード処理を指示する指示情報を挿入することになり、結果として、非同期モード処理の指示情報が受信装置２に送信される。
【００７７】
またＤＳＰ２１は、ステップＦ１０１，Ｆ１０２で、これからリサンプリングモード処理とすべき種別の音声データを送信すると判定した場合は、ステップＦ１０３からＦ１０５に進み、外部機器通信部２０にリサンプリングモードとすべき種別の音声データであることの判定信号ＳＳを供給する。この場合、変調部７３は通信パケットデータにリサンプリングモード処理を指示する指示情報を挿入することになり、結果として、リサンプリングモード処理の指示情報が受信装置２に送信される。
【００７８】
受信装置２側ではＣＰＵ３１がステップＦ２０１としてモード指示情報の受信を監視している。
そしてモード指示情報の受信があったら、ＣＰＵ３１はステップＦ２０２でその指示情報の内容を確認する。
非同期モード処理の指示情報であったら、ＣＰＵ３１はステップＦ２０３で非同期モード設定を行う。即ち制御信号ＣＴにより外部機器通信部４０における図７に示したスイッチ５７，５８，５９をｔ１端子に接続させる。これによって復調部５２ではクロックＣＬＫ２に基づく復調が行われ、それにより復調された音声データがＤ／Ａ変換器４２以降に供給される非同期モード処理が実行される状態となる。
【００７９】
また、受信した指示情報がリサンプリングモード処理の指示情報であったら、ＣＰＵ３１はステップＦ２０４でリサンプリングモード設定を行う。即ち制御信号ＣＴにより外部機器通信部４０におけるスイッチ５７，５８，５９をｔ２端子に接続させる。これによって復調部５２ではクロックＣＬＫｐに基づく同期復調が行われ、それにより復調された音声データがＳＲＣ５３でリサンプリングされて、クロックＣＬＫ２による音声データがＤ／Ａ変換器４２以降に供給されるリサンプリングモード処理が実行される状態となる。
【００８０】
以上のように、受信装置２での非同期モード処理とリサンプリングモード処理の切換制御が送信装置１側の音声データ判定に応じて実行される。
即ち送信装置１側では、伝送信号として送信する音声データの種別を判定する判定部としてＤＳＰ２１を備える。そして送信データ処理部７０は、ＤＳＰ２１での判定結果に応じて、伝送信号内に、非同期モード処理とリサンプリングモード処理のいずれかを指示する指示情報を含ませる。
受信装置２側では、制御部としてのＣＰＵ３１は、送信装置１からの指示情報の受信に応じて、受信データ処理部５１に非同期モード処理とリサンプリングモード処理のいずれかを実行させるように制御する。
【００８１】
ここで、送信装置１が、どのような音声データのときに非同期モード処理、リサンプリングモード処理を指示とするかの具体例としては、次のような例が考えられる。
例えば、ＤＳＰ２１が、送信する音声データの種別を単一周波数データ、例えばＳｉｎ波データと判定したときは、リサンプリングモード処理を指示する。一方、ＤＳＰ２１が送信する音声データの種別を通常音声データ（音楽、音声等、複合周波数のデータ）と判定したときは、非同期モード処理を指示する。
このようにすれば、Ｓｉｎ波で単一トーンの音声をスピーカ出力する場合は、非同期ノイズが聴感上目立つが、リサンプリングモード処理とすることで非同期ノイズのない単一トーン音をスピーカ出力できる。一方で、音楽等の場合は、非同期ノイズが聴感上あまり感知できないため、リサンプリングを行う場合より周波数特性変化の少ない非同期モードとすることで、元の音質に忠実な音楽再生をユーザに提供できる。
【００８２】
また次のような例も考えられる。
ＤＳＰ２１が送信する音声データの種別を通常音声データ（音楽等）と判定したときは、リサンプリングモード処理を指示する。一方、ＤＳＰ２１が送信する音声データの種別を周波数特性測定用音声データ（例えば周波数を徐々に変化させるスイープ信号等）と判定したときは非同期モード処理を指示する。
音楽等の通常音声データの場合は、顕著ではないが非同期ノイズが生ずることから、リサンプリングモード処理を選択するという考え方もできる。
一方で、リサンプリングモード処理を行うと周波数特性変動が起こる場合がある。これは測定音声データを送信し、スピーカ４４の出力音声（或いは受信装置２となるアンプ機器のスピーカ接続端子の出力信号等）に対して計測機を用いて周波数特性測定を行う場合は好ましくない。そこで、周波数特性測定のためになどにスイープ信号等の音声データを送信する場合は、非同期モードとして、適切な測定を実行できるようにする。
【００８３】
これ以外にも、どのような音声データの場合にどちらのモードを選択するようにするかは、多様に考えられる。通常音声データ以外のものとしては、各種測定用の音声データとしてホワイトノイズ信号、ピンクノイズ信号、電子音信号などがあるが、ＤＳＰ２１は周波数解析処理などを行って、いずれのモードが適切かを判定すればよい。
【００８４】
また、ユーザが送信装置１のキー操作部１７から、非同期モードとリサンプリングモード処理を選択できるようにしてもよい。その場合、送信装置１のＣＰＵ１１は、ユーザの操作に応じて、外部機器通信部２０に非同期モード又はリサンプリングモードの指示を送信させる。
また、上記の例で述べたように音楽、音声等の通常音声データの出力の場合、非同期モード処理とするか、リサンプリングモード処理とするかは、ユーザ個々の考え方の違いもある。
そこで、通常音声データの場合にどちらのモードとするかをユーザが選択できるようにしてもよい。例えばユーザが通常音声データでは非同期モードとすることを選択した場合、ＤＳＰ２１は、通常音声データやスイープ信号のときは非同期モード指示とし、単一周波数信号のときはリサンプリングモード指示とする。逆にユーザが通常音声データではリサンプリングモードとすることを選択した場合、ＤＳＰ２１は、スイープ信号のときは非同期モード指示とし、単一周波数信号や通常音声データのときはリサンプリングモード指示とする。
【００８５】
＜６．モード切換制御例II＞
モード切換制御例IIとして、受信装置２が受信した音声データの種別を判断してモード切換を行う例を説明する。
図９は受信装置２のＤＳＰ４５の処理例を示している。
【００８６】
受信装置２のＤＳＰ４５は、ステップＦ２５１として外部機器通信部４０で受信される音声データの種別を監視している。種別の監視処理は具体的には周波数解析処理（例えばＦＦＴ処理）などが挙げられる。
そして音声データの種別に変化があるか否かを判定する。例えば通信開始時に最初に音声データ受信が行われた際には、新たにある種の音声データ受信を行うためステップＦ２５２で変化ありとする。また、音声データ受信中に、非同期モード処理とすべき種別の音声データとリサンプリングモード処理とすべき種別の音声データの切り替わりが生じたときにも、ステップＦ２５２で変化ありとする。
【００８７】
そしてＤＳＰ４５は、ステップＦ２５１，Ｆ２５２で、非同期モード処理とすべき種別の音声データを受信したと判定した場合は、ステップＦ２５４に進み、外部機器通信部４０の非同期モード設定を行う。即ちＤＳＰ４５は制御信号ＣＴにより外部機器通信部４０におけるスイッチ５７，５８，５９をｔ１端子に接続させる。これによって復調部５２ではクロックＣＬＫ２に基づく復調が行われ、それにより復調された音声データがＤ／Ａ変換器４２以降に供給される非同期モード処理が実行される状態となる。
【００８８】
またＤＳＰ２１は、ステップＦ２５１，Ｆ２５２で、リサンプリングモード処理とすべき種別の音声データを受信したと判定した場合は、ステップＦ２５５に進み、外部機器通信部４０のリサンプリングモード設定を行う。即ちＤＳＰ４５は制御信号ＣＴにより外部機器通信部４０におけるスイッチ５７，５８，５９をｔ２端子に接続させる。これによって復調部５２ではクロックＣＬＫｐに基づく同期復調が行われ、それにより復調された音声データがＳＲＣ５３でリサンプリングされて、クロックＣＬＫ２による音声データがＤ／Ａ変換器４２以降に供給されるリサンプリングモード処理が実行される状態となる。
【００８９】
以上のように、受信装置２での非同期モード処理とリサンプリングモード処理の切換制御が受信した音声データ判定に応じて実行される。
即ち受信装置２は制御部（ＤＳＰ４５）が、受信部５０で受信した伝送信号から得られる音声データの種別を判定し、判定結果に応じて、受信データ処理部５１に非同期モード処理と上記ンプリングモード処理のいずれかを実行させるように制御する。
【００９０】
ここで、ＤＳＰ４５が、どのような音声データのときに非同期モード処理、リサンプリングモード処理を指示とするかの具体例としては、上記モード切換制御例Ｉで述べたものと同様の例が考えられる。
例えば、ＤＳＰ４５が、受信した音声データの種別を単一周波数データ、例えばＳｉｎ波データと判定したときは、リサンプリングモード処理を指示する。一方、ＤＳＰ４５が受信した音声データの種別を通常音声データ（音楽、音声等、複合周波数のデータ）と判定したときは、非同期モード処理を指示する。
このようにすれば、Ｓｉｎ波で単一トーンの音声をスピーカ出力する場合は、非同期ノイズが聴感上目立つが、リサンプリングモード処理とすることで非同期ノイズのない単一トーン音をスピーカ出力できる。一方で、音楽等の場合は、非同期ノイズが聴感上あまり感知できないため、リサンプリングを行う場合より周波数特性変化の少ない非同期モードとすることで、元の音質に忠実な音楽再生をユーザに提供できる。
【００９１】
また次のような例も考えられる。
ＤＳＰ４５が受信した音声データの種別を通常音声データ（音楽等）と判定したときは、リサンプリングモード処理を指示する。一方、ＤＳＰ４５が受信した音声データの種別を周波数特性測定用音声データ（例えばスイープ信号等）と判定したときは非同期モード処理を指示する。
音楽等の通常音声データの場合は、顕著ではないが非同期ノイズが生ずることから、リサンプリングモード処理を選択する。
一方で、リサンプリングモード処理での周波数特性変動を避けるため、周波数特性測定のためになどにスイープ信号等の音声データを送信する場合は、非同期モードとして、適切な測定を実行できるようにする。
【００９２】
これ以外にも、どのような音声データの場合にどちらのモードを選択するようにするかは、多様に考えられることはモード切換制御例Ｉの場合と同様である。
またユーザがキー操作部３７から、非同期モードとリサンプリングモード処理を選択できるようにしてもよい。
さらに、音楽、音声等の通常音声データの出力の場合に、非同期モード処理とするか、リサンプリングモード処理とするかを、ユーザが指定できるようにしてもよい。例えばユーザが通常音声データでは非同期モードとすることを選択した場合、ＤＳＰ４５は、通常音声データやスイープ信号のときは非同期モード制御を行い、単一周波数信号のときはリサンプリングモード制御を行う。逆にユーザが通常音声データではリサンプリングモードとすることを選択した場合、ＤＳＰ４５は、スイープ信号のときは非同期モード制御を行い、単一周波数信号や通常音声データのときはリサンプリングモード制御を行う。
【００９３】
＜７．モード切換制御例III＞
モード切換制御例IIIとして、送信装置側１が受信装置２にＡＧＣ処理を指示し、それに連動して受信装置２が非同期モード処理とリサンプリングモード処理を切り換える例を説明する。
図１０は、送信装置１のＣＰＵ１１の処理と、受信装置２のＣＰＵ３１の処理例を示している。
【００９４】
この例では一例として、初期状態で受信装置２側でＡＧＣ処理を実行させるものとする。このため送信装置１では、通信開始時等に、まずステップＦ３０１としてＡＧＣオンの指示を行う。具体的にはＣＰＵ１１は、例えばこれから受信装置２に対して音声データ送信を開始する際には、ステップＦ３０１で外部機器通信部２０にＡＧＣオン指示の送信を指示する。この場合、外部機器通信部２０の変調部７３は通信パケットデータにＡＧＣオンの指示情報を挿入することになり、結果として、ＡＧＣオンの指示情報が受信装置２に送信される。
【００９５】
またＣＰＵ１１は、ＡＧＣオフのトリガが発生した場合は、ステップＦ３０２からＦ３０３に進み、ＡＧＣオフの指示を行う。具体的にはＣＰＵ１１は、ステップＦ３０３で外部機器通信部２０にＡＧＣオフ指示の送信を指示する。この場合、外部機器通信部２０の変調部７３は通信パケットデータにＡＧＣオフの指示情報を挿入することになり、結果として、ＡＧＣオフの指示情報が受信装置２に送信される。
ＡＧＣオフのトリガとは、例えばＡＧＣオフのユーザ操作や、或いは特定の種別の音声データの送信開始などとする。具体例は後述する。
【００９６】
またＣＰＵ１１は、ＡＧＣオンのトリガが発生した場合は、ステップＦ３０４からＦ３０１に進み、外部機器通信部２０にＡＧＣオン指示の送信を指示する。この場合もＡＧＣオンの指示情報が受信装置２に送信される。
ＡＧＣオンのトリガとは、例えばＡＧＣオンのユーザ操作や、或いは特定の種別の音声データの送信開始などとする。
【００９７】
受信装置２側ではＣＰＵ３１がステップＦ４０１としてＡＧＣオン／オフの指示情報の受信を監視している。
そしてＡＧＣ指示情報の受信があったら、ＣＰＵ３１はステップＦ４０２でその指示情報の内容を確認する。
ＡＧＣオンの指示情報であったら、ＣＰＵ３１はステップＦ４０３でＡＧＣオン設定及びリサンプリングモード処理の設定を行う。即ちＣＰＵ３１は制御信号ＣＴにより外部機器通信部４０におけるスイッチ５７，５８，５９をｔ２端子に接続させる。またＡＧＣ回路６０に対してＡＧＣ動作のオン制御を行う。
これによって復調部５２ではクロックＣＬＫｐに基づく同期復調が行われ、それにより復調された音声データがＡＧＣ処理され、さらにＳＲＣ５３でリサンプリングされて、クロックＣＬＫ２による音声データがＤ／Ａ変換器４２以降に供給されるリサンプリングモード処理が実行される状態となる。
【００９８】
また、受信した指示情報がＡＧＣオフの指示情報であったら、ＣＰＵ３１はステップＦ４０４でＡＧＣオフ設定及び非同期モード設定を行う。即ち制御信号ＣＴにより外部機器通信部４０におけるスイッチ５７，５８，５９をｔ１端子に接続させる。またＡＧＣ回路６０に対してＡＧＣ動作のオフ制御を行う。
これによって復調部５２ではクロックＣＬＫ２に基づく復調が行われ、それにより復調された音声データがＡＧＣ処理されずにそのままＤ／Ａ変換器４２以降に供給される非同期モード処理が実行される状態となる。
【００９９】
以上のように、受信装置２での非同期モード処理とリサンプリングモード処理の切換制御が送信装置１からのＡＧＣ処理の指示（受信装置２でのＡＧＣ動作のオン／オフ）に連動して実行される。
即ち送信装置１側では、送信データ処理部７０はモード切換指示となる指示情報として、受信装置２側でのＡＧＣ処理のオン／オフを指示する指示情報を伝送信号に含ませる。
受信装置２側では、制御部としてのＣＰＵ３１は、送信装置からの指示情報の受信に応じて、非同期モード処理とリサンプリングモード処理を選択する。即ち伝送信号から得られる音声データについてのＡＧＣ処理をオンとする指示のときは、受信データ処理部５１にＡＧＣ処理とリサンプリングモード処理を実行させ、ＡＧＣ処理をオフとする指示のときは、受信データ処理部５１に非同期モード処理を実行させるＡＧＣ処理をオフさせる。
【０１００】
ここで、送信装置１が、ＡＧＣオンとするトリガの判断、オフとするトリガの判断として次のような例が考えられる。
通常、出力音声について各種測定を行う場合は、ＡＧＣ処理をオフとする。そこで、送信装置１（ＣＰＵ１１）は、周波数特性測定、ドルビー測定等の各種の測定を目的とした測定用音声データを送信するときは、ＡＧＣ処理オフトリガ発生と判断して、ステップＦ３０３でＡＧＣオフの指示信号を送信制御する。
また測定後等に、音楽等の通常音声データを送信開始するときは、ＡＧＣオントリガ発生と判断して、ステップＦ３０１でＡＧＣオンの指示信号を送信制御する。
【０１０１】
このようにすることで、通常音楽再生時には、ＡＧＣ処理が行われ、かつリサンプリングモード処理で非同期ノイズがない状態でユーザに音楽等を提供できる。
また測定時には、ＡＧＣ処理がオフとされ、本来の特性測定が実行され、さらに非同期モードとされることで、リサンプリングモード処理による音質変化がない状態で測定等が実行できることとなる。
【０１０２】
またユーザのＡＧＣ操作をＡＧＣオン又はＡＧＣオフのトリガとしてもよい。
ＡＧＣ処理は、過大なレベルの再生音声出力が生じないようにする意味で、受信装置２側のスピーカ等の保護の機能がある。一方で、必ずしも元々の音量レベルに忠実な再生音とはならないということもある。
このためユーザは、通常使用時にはＡＧＣオンを選択し、元の音に忠実な再生音質を求める場合はＡＧＣオフを選択するということがある。
本例の場合、ＡＧＣオンの場合はリサンプリングモードとなり、これは上述のように音質変化が生ずることがある。
そこで通常使用時はＡＧＣオン、リサンプリングモードとしてＡＧＣ処理による利点を享受すると共に、リサンプリングモードで非同期ノイズが生じないという利点を享受できるようにする。一方、ユーザが忠実な音声再生を求めるためにＡＧＣオフを指示した場合は、ＡＧＣオフとともに非同期モードとしてリサンプリングによる音質変化が生じないようにし、原音に忠実な音声出力が実行されるようにする。
【０１０３】
なお図１０の処理例では、送信装置１はＡＧＣ処理の指示情報を送信し、受信装置２では、これをＡＧＣ処理と受信処理モード選択（非同期モード／リサンプリングモード選択）の両方の指示として処理するようにした。これ以外に、送信装置１が、ＡＧＣ処理の指示情報を送信する際に、受信処理モード選択の指示情報をさらに送信するようにしてもよい。
【０１０４】
またＡＧＣ処理以外のユーザ操作等に応じて、非同期モード／リサンプリングモードを連動させて切換制御することも考えられる。
例えば受信装置２にイコライジング調整部（音質調整部）やリバーブ処理部が設けられる場合に、ユーザが、送信装置１側で各種イコライジング設定、リバーブ設定等を選択できるようにすることが考えられる。その場合に送信装置１はイコライジングモードやリバーブモードを受信装置２に指示するが、受信装置２ではイコライジングモードやリバーブモード等のそれぞれに非同期モード／リサンプリングモードを対応づけておき、指示されたモードに連動して非同期モード／リサンプリングモードを切り換えられるようにすることも考えられる。
なお、上記例では初期状態でＡＧＣオンを指示するとしたが、ＡＧＣオフを初期状態で指示しても良い。また、初期状態は特にＡＧＣ指示を行わず、ＡＧＣオン／オフは受信装置２側でのユーザ操作によるものとしてもよい。
【０１０５】
＜８．モード切換制御例IV＞
モード切換制御例IVとして、受信装置２がＡＧＣオン／オフ制御を行うときに、それに連動して非同期モード処理とリサンプリングモード処理を切り換える例を説明する。
図１１は、受信装置２のＣＰＵ３１の処理例を示している。
【０１０６】
この例では一例として、初期状態で受信装置２はＡＧＣ処理を実行するものとする。このためＣＰＵ３１は、まずステップＦ４５１としてＡＧＣオン及びリサンプリングモードの制御を行う。具体的にはＣＰＵ３１は、例えば音声データ受信を開始する状態となったときや電源オンのときなどには、ステップＦ４５１で外部機器通信部４０のＡＧＣ回路６０に制御信号ＣＴによりＡＧＣオンを指示する。さらに、ＣＰＵ３１は外部機器通信部４０のリサンプリングモード設定を行う。即ちＣＰＵ３１は制御信号ＣＴにより外部機器通信部４０におけるスイッチ５７，５８，５９をｔ２端子に接続させる。
これによって復調部５２ではクロックＣＬＫｐに基づく同期復調が行われ、それにより復調された音声データがＡＧＣ処理され、さらにＳＲＣ５３でリサンプリングされて、クロックＣＬＫ２による音声データがＤ／Ａ変換器４２以降に供給されるリサンプリングモード処理が実行される状態となる。
【０１０７】
またＣＰＵ３１は、ＡＧＣオフのトリガが発生した場合は、ステップＦ４５２からＦ４５３に進み、ＡＧＣオフ及び非同期モードの指示を行う。ＡＧＣオフのトリガとは、例えばＡＧＣオフのユーザ操作や、或いは特定の種別の音声データの受信開始などとする。
具体的にはＣＰＵ３１は、ステップＦ４５３で外部機器通信部４０のＡＧＣ回路６０に制御信号ＣＴによりＡＧＣオフを指示する。さらに、ＣＰＵ３１は制御信号ＣＴにより外部機器通信部４０におけるスイッチ５７，５８，５９をｔ２端子に接続させリサンプリングモード設定を行う。
これによって復調部５２ではクロックＣＬＫ２に基づく復調が行われ、それにより復調された音声データがＡＧＣ処理されずにそのままＤ／Ａ変換器４２以降に供給される非同期モード処理が実行される状態となる。
【０１０８】
またＣＰＵ３１は、ＡＧＣオンのトリガが発生した場合は、ステップＦ４５４からＦ４５１に進み、外部機器通信部４０にＡＧＣオン指示及びリサンプリングモード指示を行う。
ＡＧＣオンのトリガとは、例えばＡＧＣオンのユーザ操作や、或いは特定の種別の音声データの受信開始などとする。
【０１０９】
以上のように、受信装置２での非同期モード処理とリサンプリングモード処理の切換制御がＡＧＣ制御に連動して実行される。
即ち制御部としてのＣＰＵ３１は、受信した音声データについてのＡＧＣ処理をオンとするときは、受信データ処理部５１にリサンプリングモード処理を実行させ、ＡＧＣ処理をオフとするときは、受信データ処理部５１に非同期モード処理を実行させるように制御する。
【０１１０】
ここで、ＣＰＵ３１が、ＡＧＣオンとするトリガの判断、オフとするトリガの判断として次のような例が考えられる。
通常、出力音声について各種測定を行う場合は、ＡＧＣ処理をオフとする。そこで、例えばＤＳＰ４５（又はＣＰＵ３１）が受信した音声データの種別を周波数解析処理などで判定し、周波数特性測定、ドルビー測定等の各種の測定を目的とした測定用音声データを受信したときは、ＡＧＣ処理オフトリガ発生と判断する。この場合にステップＦ４５３でＡＧＣオフ及び非同期モードとする制御を行う。
また測定後等に、音楽等の通常音声データの受信状態となったときは、ＡＧＣオントリガ発生と判断して、ステップＦ４５１でＡＧＣオン及びリサンプリングモードとする制御を行う。
【０１１１】
このようにすることで、通常音楽再生時には、ＡＧＣ処理が行われ、かつリサンプリングモード処理で非同期ノイズがない状態でユーザに音楽等を提供できる。
また測定時には、ＡＧＣ処理がオフとされ、本来の特性測定が実行され、さらに非同期モードとされることで、リサンプリングモード処理による音質変化がない状態で測定等が実行できることとなる。
【０１１２】
またユーザのＡＧＣ操作をＡＧＣオン又はＡＧＣオフのトリガとしてもよい。
上述のように、ユーザは、通常使用時にはＡＧＣオンを選択し、元の音に忠実な再生音質を求める場合はＡＧＣオフを選択するということがある。
そこで通常使用時はＡＧＣオン、リサンプリングモードとしてＡＧＣ処理による利点を享受すると共に、リサンプリングモードで非同期ノイズが生じないという利点を享受できるようにする。一方、ユーザが忠実な音声再生を求めるためにＡＧＣオフをキー操作部３７から指示した場合は、ＡＧＣオフ及び非同期モードとしてリサンプリングによる音質変化が生じないようにし、原音に忠実な音声出力が実行されるようにする。
【０１１３】
またＡＧＣ処理以外のユーザ操作等に応じて、非同期モード／リサンプリングモードを連動させて切換制御することも考えられる。
例えば受信装置２にイコライジング調整部（音質調整部）やリバーブ処理部が設けられる場合に、ユーザが、キー操作部３７から各種イコライジング設定、リバーブ設定等を選択できるようにすることが考えられる。その場合にＣＰＵ３１はイコライジングモードやリバーブモードをイコライジング調整部やリバーブ処理部に指示するが、イコライジングモードやリバーブモード等のそれぞれに非同期モード／リサンプリングモードを対応づけておく。そして指示されたモードに連動して非同期モード／リサンプリングモードを切り換えるようにすることも考えられる。
また、上記例では初期状態でＡＧＣオンとしたが、ＡＧＣオフを初期状態としても良い。また、初期状態はユーザ操作に応じたものとしてもよい。
【０１１４】
以上、送信装置１、受信装置２の構成やモード切換制御例Ｉ〜IVの処理例を説明してきたが、これらの技術により、受信装置２側の受信音声データに関する処理を適宜非同期モード処理とリサンプリングモード処理とで切り換えることで、状況に応じた適切な受信処理が実行できる。例えば非同期ノイズが顕著となる状況ではリサンプリングモード処理とし、音質変化が好ましくない状況では非同期モード処理とするなどとして、適切な受信処理が実行できる。
【符号の説明】
【０１１５】
１  送信装置、２  受信装置、１１，３１  ＣＰＵ、２０，４０  外部機器通信部、２１，４５  ＤＳＰ、５０  受信部、５１  受信データ処理部、５２  復調部、５３  ＳＲＣ、５６，７２  クロック生成部、７０  送信データ処理部、７１  送信音声データ生成部、７３  変調部、７４  送信部
【図１】
2012182697.tif 000003
【図２】
2012182697.tif 000004
【図３】
2012182697.tif 000005
【図４】
2012182697.tif 000006
【図５】
2012182697.tif 000007
【図６】
2012182697.tif 000008
【図７】
2012182697.tif 000009
【図８】
2012182697.tif 000010
【図９】
2012182697.tif 000011
【図１０】
2012182697.tif 000012
【図１１】
2012182697.tif 000013